(57)【要約】【課題】動画データと静止画データの記録先のメディアを自由に切り換えることができる画像撮影装置を提供する。【解決手段】動画像はＨＤＤ１０５に、静止画像はメモリカード１０６に記録する第1のモードと、動画像も静止画像も選択した同一メディアに記録する第２のモードと、該第１のモードと第２のモードを選択できる選択手段を具備したことを特徴とすることにより、使用者が動画と静止画のファイルをメディア別あるいは同一メディアに管理することを選択可能となり、状況に応じた管理が容易になる。  【選択図】  図１
2006108742.tif 000002
【特許請求の範囲】
【請求項１】
撮影した動画像および静止画像の記録メディアとして磁気ディスク装置とメモリカードとを有する画像撮影装置において、
動画像は前記磁気ディスク装置に記録し、静止画像は前記メモリカードに記録する第１の記録モードと、動画像も静止画像も選択した同一の記録メディアに記録する第２の記録モードとを選択する選択手段と、
選択手段により選択された記録モードに応じて、動画像、または静止画像を記録する記録制御手段とを具備したことを特徴とする画像撮影装置。
【請求項２】
前記記録制御手段は、動画像記録中に静止画像を記録する場合には、動画像を前記磁気ディスク装置に記録し、静止画像を前記メモリカードに記録することを特徴とする請求項１記載の画像撮影装置。
【請求項３】
前記磁気ディスク装置、および前記メモリカードの記録可能な残容量を検出する検出手段と、
前記検出手段により検出された記録可能な残容量が多い記録メディアに動画像を記録し、記録可能な残容量が少ない記録メディアに静止画像を記録することを特徴とする請求項１記載の画像撮影装置。
【請求項４】
前記磁気ディスク装置、および前記メモリカードの記録可能な残容量を検出する検出手段と、
前記検出手段により検出された記録可能な残容量が多い記録メディアに動画像、および静止画像を記録することを特徴とする請求項１記載の画像撮影装置。
【請求項５】
前記記録中の記録メディアの記録可能な残容量が所定値以下となった場合には、他方の記録メディアに続けて記録することを特徴とする請求項４記載の画像撮影装置。
【発明の詳細な説明】
【技術分野】
【０００１】
本発明は、動画像および静止画像を撮影可能な画像撮影装置に関し、特に記録メディアとして磁気ディスク装置とメモリカードを有する画像撮影装置の記録制御方法に関するものである。
【背景技術】
【０００２】
デジタルスチルカメラなどの画像撮影装置は、ＣＣＤ等の固体撮像素子で撮影した画像をメモリカードなどの記録メデイアに記録保存するもので、最近では静止画像を記録保存する以外に、動画像も撮影することができる。しかし動画像は静止画像に比べてデータ量が多いため、メモリカードでは長時間の記録は難しい状況となっている。  そこで従来よりメモリカードに加えて磁気ディスク装置を記録メディアとして具備した画像撮影装置が開示されている。
【特許文献１】特開平１０−１２６６６２号公報（第１図）
【発明の開示】
【発明が解決しようとする課題】
【０００３】
しかし、従来の画像撮影装置では、メモリカードと磁気ディスク装置という２つの記録メディアを効率的に切り換えて記録制御することは考えられていなかった。特に、動画像と静止画像の記録先を切り換える等の記録制御は行われておらず、複数の記録メディアを有効に利用しているものではな
かった。そこで、本発明は、動画像および静止画像を記録可能な画像撮影装置において、複数の記録メディアを用いて効果的に画像の記録制御が実現できる画像撮影装置を提供することを目的とするものである。
【課題を解決するための手段】
【０００４】
本発明は、上述した課題を解決するため、撮影した動画像および静止画像の記録メディアとして磁気ディスク装置とメモリカードとを有する画像撮影装置において、動画像は前記磁気ディスク装置に記録し、静止画像は前記メモリカードに記録する第１の記録モードと、動画像も静止画像も選択した同一の記録メディアに記録する第２の記録モードとを選択する選択手段と、選択手段により選択された記録モードに応じて、動画像、または静止画像を記録する記録制御手段とを具備したものである。
【０００５】
また本発明は上述した課題を解決するため、前記記録制御手段は、動画像記録中に静止画像を記録する場合には、動画像を前記磁気ディスク装置に記録し、静止画像を前記メモリカードに記録するものである。
【０００６】
また本発明は上述した課題を解決するため、前記磁気ディスク装置、および前記メモリカードの記録可能な残容量を検出する検出手段と、前記検出手段により検出された記録可能な残容量が多い記録メディアに動画像を記録し、記録可能な残容量が少ない記録メディアに静止画像を記録するものである。
【０００７】
また本発明は上述した課題を解決するため、前記磁気ディスク装置、および前記メモリカードの記録可能な残容量を検出する検出手段と、前記検出手段により検出された記録可能な残容量が多い記録メディアに動画像、および静止画像を記録するものである。
【０００８】
また本発明は上述した課題を解決するため、前記記録中の記録メディアの記録可能な残容量が所定値以下となった場合には、他方の記録メディアに続けて記録するものである。
【発明の効果】
【０００９】
動画データと静止画データの記録先のメディアを自由に切り換えることができる。
【発明を実施するための最良の形態】
【００１０】
以下、本発明の一実施形態について説明する。
【実施例】
【００１１】
図１は、本発明の一実施形態を示す画像撮像装置である電子スチルカメラ１のブロック図である。ＣＣＤ（図示せず）など固体撮像素子で撮像された画像信号のＡ／Ｄ変換後のＣＣＤ出力デジタル信号１０１は、カメラ信号処理回路１０２、JPEG(静止画のとき)/MPEG(動画のとき)圧縮処理回路１０３、メモリ回路１０４を介し、圧縮された画像信号としてハードディスク１０５または不揮発性のメモリのメモリカード１０６に記録される。このとき、撮影される画像は、ビデオデコーダ１０７を介して、ＬＣＤドライバ１０)を経てＬＣＤ１０９上に表示される。
【００１２】
再生時は、ハードディスク１０５またはメモリカード１０６から読み出された画像が、JPEG/MPEG伸長処理回路１０３、メモリ回路１０４、ビデオデコーダ１０７を介し、ＬＣＤドライバ１０を経てＬＣＤ１０９上に表示される。
【００１３】
ハードディスク１０５またはメモリカード１０６に記録された静止画像または動画像を外部機器に転送あるいは外部機器から受信するときは、ＵＳＢコントローラ１１１を介してＵＳＢ端子１１３から送受信する。これは外部機器がＰＣを想定している。また、ＰＣを介さずに例えばＤＶＤレコーダーのような画像記録再生装置に直接、ＭＰＥＧ圧縮された動画像を送受信することもできる。一般に、ＤＶＤレコーダにこれらの画像を転送するときは、ＭＰＥＧ圧縮された動画像をカメラ側でデコードし、ビデオ端子やＳ端子からアナログ出力し、画像記録再生装置側でアナログ信号を再圧縮して保存する。この方法では、例えば１時間記録した動画像をＤＶＤに記録するのに１時間かかる。しかし、ここではＭＰＥＧ圧縮した動画データは、このままストリーミングとしてネットワーク経由でＤＶＤに転送することができ、その転送時間は、圧縮率にも依存するが、実時間の数１０倍を達成でき、画質は、再エンコードしないため高画質のままである。例えば１時間記録した動画像をＤＶＤレコーダに記録するのに１／１０だと６分で済む。ネットワークとしてＬＡＮを考えた場合、ＬＡＮコントローラ１１０を介してＬＡＮ端子１１２から送受信する。なお、ＤＶＤレコーダへの転送は、動画に限定せずに静止画でも音声を含んだ場合でも構わない。
【００１４】
このように記録媒体が複数あるため、どこに何を記録したいかを選択できれば便利性が増す。また、記録媒体が大容量のハードディスク１０５の場合は、長時間の音声付動画コンテンツや多数の静止画コンテンツを記録、再生、外部機器に転送したりするため、ハードディスク１０５へのアクセスが頻繁に発生する。
【００１５】
本実施形態では、動画像はハードディスク１０５に、静止画像はメモリカード１０６に記録する第１の記録モードと、動画像も静止画像も選択した同一メディアに記録する第２の記録モードと、該第１、第２の記録モードを選択できる選択手段を具備したことを特徴とすることにより、使用者が動画と静止画のファイルをメディア別あるいは同一メディアに管理することを選択可能となり、状況に応じた管理が容易になる。具体的には記録モードの選択は、選択スイッチ１１５の操作により行われ、選択スイッチ１１５により選択された記録モードに基づいてＣＰＵ１１４が記録制御を行う。また動画像記録中に静止画像を記録する記録手段と、このとき、動画像をハードディスク１０５に記録中は、静止画像をメモリカード１０６に記録することを特徴とすることにより、動画像を記録のためハードディスク１０５へのアクセスが頻繁となり静止画像を記録できないときでも、静止画像をメモリカード１０６に記録できるため、動画、静止画同時記録時の制約条件が緩和される。さらに、動画像は残容量の多い記録媒体に、静止画像は残容量の少ない記録媒体に記録することを特徴とすることにより、容量を必要とする動画像の撮影機会を高めることができる。この応用として、動画も静止画も関係なく残容量の多い記録媒体に記録し、一方がフルになれば、他方にシームレスに記録し、見かけ上の撮影時間を長くすることも可能となる。
【００１６】
次に図２乃至図５に本実施形態の動作フローを示す。ここでは、ハードディスク１０５をＨＤＤ、メモリカードをＭＣと表記している。
【００１７】
図２において、ステップＳ２０１において、使用者が動画、静止画各々についてＨＤＤ１０５またはＭＣ１０６どちらに記録するか選択した結果であり、
使用者が選択メニュー画面等を用いて選択した選択モードを、ＣＰＵ１１４が検出することにより、動画／静止画それぞれの選択メディアが判定されるものである。そして動画も静止画も同一メディアに記録するモードであると判定された場合はステップＳ２０２へ、否ならばつまり異なるメディアに記録するモードであると検出された場合はステップＳ２０５ の処理へ行く。次にステップＳ２０２において選択されたメデイアがＨＤＤ１０５であるのかＭＣ１０６であるのかがをＣＰＵ１１４が判定する。そして選択されたメディアがＨＤＤ１０５であると判定された場合には、ステップＳ２０３の処理へ移行し動画、静止画を共にＨＤＤ１０５へ記録する。一方、選択されたメディアがＭＣ１０６であればステップＳ２０４の処理へ移行し、動画、静止画共にＭＣ１０６に記録される。また、ステップＳ２０１にて選択されたモードが異なるメディアに記録するモードであると判定された場合には、ステップＳ２０５に移行し、動画と静止画の互いの記録メディアが何かをＣＰＵ１１４が判別する。そして動画をＨＤＤ１０５、静止画をＭＣ１０６に記録するモードであると判定された場合にはステップＳ２０６へ移行し、動画データであれば、ＨＤＤ１０５に記録し、静止画データであればＭＣ１０６に記録する動作を実施する。一方、動画をＭＣ１０６、静止画をＨＤＤ１０５に記録するモードであると判定された場合には、ステップＳ２０７へ移行し、動画データであればＭＣ１０６記録し、静止画データであればＨＤＤ１０５に記録する動作を実行していく。
【００１８】
次に、図３では、動画をＨＤＤに記録中に、静止画を記録する処理が発生した時の動作を説明したフローチャートである。
【００１９】
図３においてまずステップＳ３０１にて動画をＨＤＤ１０５に記録中に静止画も記録する処理が発生したことをＣＰＵ１１４が検出する。このような静止画記録処理が発生すると、次にステップＳ３０２において静止画もＨＤＤ１０５へ記録可能であるかそＣＰＵ１１４にて判断される。具体的にはＨＤＤ１０５のアクセス速度などでＨＤＤに記録可能であるかが判定される。そして、ＨＤＤ１０５に静止画も記録可能であると判定されれば（ステップＳ３０２のＹ）、ステップＳ３０４へ移行し、動画と静止画を同時にＨＤＤ１０５に記録していく。またＨＤＤ１０５に静止画を記録不可能であると判定された場合には（ステップＳ３０２のＮ）、動画をＨＤＤ１０５に記録しつつ、静止画をＭＣ１０６に記録していく（ステップＳ３０３）。
【００２０】
次に、図４ではＨＤＤとＭＣの記録可能な残容量に応じて、記録メディアを選択する動作について説明する。
【００２１】
図４において、まずＣＰＵ１１４は、ＨＤＤ１０５とＭＣ１０６の残り記録容量（残容量）を算出し、両記録メディアの残容量を比較する（ステップＳ４０１）。比較した結果、ＨＤＤ１０５の方が記録残量が大きければ（ステップＳ４０１のＹ）、動画はＨＤＤ１０５に記録し、静止画はＭＣ１０６へ記録する(ステップＳ４０２)。一方ＭＣ１０６ の方が記録残量が大きければ（ステップＳ４０１のＮ）、動画はＭＣ１０６に、静止画はＨＤＤ１０５へ記録する(ステップＳ４０３)。
【００２２】
つまり、図４の実施形態においては、動画を記録するメディアは残容量の大きいメディアを選択し、残容量の少ないメディアを静止画記録のメディアに割り当てるように制御した例である。
【００２３】
次に、図５では、通常はＨＤＤに動画／静止画を記録していき、ＨＤＤの残り記録容量がなくなったときに、メモリカードへの記録処理に移行する例を説明する。
【００２４】
図５において、まずＣＰＵ１１４はＨＤＤ１０５とＭＣ１０６の残容量を比較し（ステップＳ５０１）、ＨＤＤ１０５の方が多く残っていれば（ステップＳ５０１のY）、動画も静止画もＨＤＤに記録し(ステップＳ５０２)していく。そして、ＨＤＤ１０５の残り記録容量が少なくなった、またはゼロになった場合（ステップＳ５０３のＮ）のＭＣ１０５に記録先を移行し、ＭＣ１０６へ記録の処理を行う（ステップＳ５０４）。一方ＨＤＤ１０５とＭＣ１０６の残容量を比較し、ＭＣ１０６の方が多く記録容量が残っていれば、動画も静止画もＭＣ１０６に記録する（ステップＳ５０５）。そして、ＭＣ１０６の残り記録容量が少なくなった、またはゼロになった場合（ステップＳ５０６のＮ）のＨＤＤ１０５に記録先を移行し、ＨＤＤ１０５へ記録の処理を行う（ステップＳ５０７）。
【００２５】
以上、本実施形態によれば、動画像はハードディスクに、静止画像はメモリカードに記録する第1のモードと、動画像も静止画像も選択した同一メディアに記録する第２のモードと、該第１のモードと第２のモードを選択できる選択手段を具備したことを特徴とすることにより、使用者が動画と静止画のファイルをメディア別あるいは同一メディアに管理することを選択可能となり、状況に応じた管理が容易になる。また、動画像記録中に静止画像を記録する記録手段と、このとき、動画像をハードディスクに記録中は、静止画像をモリカードに記録することを特徴とすることにより、動画像を記録のためハードディスクへのアクセスが頻繁となり静止画像を記録できないときでも、静止画像をメモリカードに記録できるため、動画、静止画同時記録時の制約条件が緩和される。さらに、動画像は残容量の多い記録媒体に、静止画像は残容量の少ない記録媒体に記録することを特徴とすることにより、容量を必要とする動画像の撮影機会を高めることができる。この応用として、動画も静止画も関係なく残容量の多い記録媒体に記録し、一方がフルになれば、他方にシームレスに記録し、見かけ上の撮影時間を長くすることも可能となる。
【図面の簡単な説明】
【００２６】
【図１】本発明の一実施形態を示す電子スチルカメラのシステム構成を示すブロック図である。
【図２】同実施形態における、記録メディアの選択状況に応じた記録制御を説明するためのフローチャートである。
【図３】同実施形態における動画記録中に、静止画記録を行う際の記録制御を説明するためのフローチャートである。
【図４】同実施形態における記録メディアの残り記録容量に応じた記録制御動作を説明するためのフローチャートである。
【図５】同実施形態における記録メディアの残り記録容量に応じた記録メディアの移行動作を説明するためのフローチャートである。
【符号の説明】
【００２７】
１０１…Ａ／Ｄアウト。１０２…信号処理回路、１０３…ＪＰＥＧ／ＭＰＥＧ回路、１０４…メモリ、１０５…ＨＤＤ、１０６…メモリカード、１０７…ビデオデコーダ、１０８…ＬＣＤドライバ、１０９…ＬＣＤ、１１０…ＬＡＮコントローラ、１１１…ＵＳＢドライバ。
【図１】
2006108742.tif 000003
【図２】
2006108742.tif 000004
【図３】
2006108742.tif 000005
【図４】
2006108742.tif 000006
【図５】
2006108742.tif 000007